(57)【要約】      （修正有）【課題】強い摩擦力でベルトを固定することが可能な上に、留め具が不本意にずれてベルトが緩むことの無いバックルを提供する。【解決手段】本発明の一態様の衣服ベルト用バックル１００は、バックル本体と、軸方向と直交する方向に向かってスライド可能に第１と第２の側面板部に支持される軸２０と、回転可能に軸２０に支持され、第１の凸部を背面板部の開口部に向けて回転させた状態でスライドさせることによって、第１の軸に支持された側とは反対側の自己の開放端部が棒状部材と背面板部との間に配置可能なベルト留め具３０と、軸２１と、回転可能に軸２１に支持され、第２の凸部を背面板部の開口部に向けて押し込むように回転させた状態で、ベルト留め具３０の棒状部材側とは反対方向への移動を第２の凸部により阻害可能な留め具固定具４０と、を備えたことを特徴とする。【選択図】図２
2019201994.tif 000002
【特許請求の範囲】
【請求項１】
開口部が形成された背面板部と、前記背面板部の対向する２辺に連結する第１と第２の側面板部と、前記背面板部の板面と隙間を空けて、前記開口部から離れた位置で前記第１と第２の側面板部の一方から他方側に延びる棒状部材とを有する本体と、
前記第１と第２の側面板部間に配置され、軸方向と直交する方向に向かってスライド可能に前記第１と第２の側面板部に支持される第１の軸と、
前記第１の軸を支点に回転可能に前記第１の軸に支持され、第１の凸部を有するように形成され、前記第１の凸部を前記背面板部の前記開口部に向けて回転させた状態で前記第１の軸を前記棒状部材側にスライドさせることによって、前記第１の軸に支持された側とは反対側の自己の開放端部が前記棒状部材と前記背面板部との間に配置可能な第１の回転部材と、
前記第１と第２の側面板部間に配置され、前記第１と第２の側面板部に支持される第２の軸と、
前記第２の軸を支点に回転可能に前記第２の軸に支持され、第２の凸部を有するように形成され、前記第２の凸部を背面板部の開口部に向けて押し込むように回転させた状態で、前記第１の回転部材の前記棒状部材側とは反対方向への移動を前記第２の凸部により阻害可能な第２の回転部材と、
を備え、
前記開口部を跨ぐようにして衣服ベルトの端部が前記棒状部材側の背面板部に固定され、２重に重なった状態で前記本体内を通過させるように配置し、
前記第１の回転部材の回転によって前記第１の凸部により２重になった前記衣服ベルトを前記開口部から押し出すように屈曲させた状態で、前記第１の軸を前記棒状部材側にスライドさせることによって、前記第１の回転部材の前記開放端部を前記棒状部材と前記衣服ベルトとの間に移動させ、前記衣服ベルトの表面に前記第１の凸部と前記第１の回転部材の開放端部とを密着させた状態で、前記第２の回転部材の前記第２の凸部が前記第１の軸のスライドに伴う前記第１の回転部材の軸側端部の移動経路上に位置するまで前記第２の回転部材を回転させた状態で、前記第２の回転部材の回転に抵抗する力を作用させ、前記第１の回転部材の前記棒状部材側とは反対方向への移動を拘束することによって前記衣服ベルトを固定し、
前記第２の回転部材を前記逆側に回転させて、前記第１の回転部材の前記棒状部材側とは反対方向への移動の拘束を解除し、前記第１の軸を前記棒状部材とは反対側にスライドさせることによって、前記第１の回転部材の前記開放端部を前記棒状部材と前記衣服ベルトとの間から抜き出し、前記第１の凸部により前記２重になった前記衣服ベルトを前記開口部から押し出す方向とは逆方向に前記第１の回転部材を回転させることによって、前記衣服ベルトの固定を解除することを特徴とする衣服ベルト用バックル。
【請求項２】
開口部が形成された背面板部と、前記背面板部の対向する２辺に連結する第１と第２の側面板部と、を有する本体と、
前記第１と第２の側面板部間に配置され、軸方向と直交する方向に向かってスライド可能に前記第１と第２の側面板部に支持される第１の軸と、
前記第１と第２の側面板部間に配置され、前記背面板部の板面と隙間を空けて、前記開口部から離れた位置で前記第１と第２の側面板部に支持される第２の軸と、
前記第１の軸を支点に回転可能に前記第１の軸に支持され、第１の凸部を有するように形成され、前記第１の凸部を前記背面板部の前記開口部に向けて回転させた状態で前記第１の軸を前記第２の軸側にスライドさせることによって、前記第１の軸に支持された側とは反対側の自己の開放端部が前記第２の軸と前記背面板部との間に配置可能な第１の回転部材と、
前記第２の軸を支点に回転可能に前記第２の軸に支持され、第２の凸部を有するように形成され、前記第２の凸部を背面板部の開口部に向けて押し込むように回転させた状態で、前記第１の回転部材の前記第２の軸側とは反対方向への移動を前記第２の凸部により阻害可能な第２の回転部材と、
を備え、
前記開口部を跨ぐようにして衣服ベルトの端部が前記第２の軸側の背面板部に固定され、２重に重なった状態で前記本体内を通過させるように配置し、
前記第１の回転部材の回転によって前記第１の凸部により２重になった前記衣服ベルトを前記開口部から押し出すように屈曲させた状態で、前記第１の軸を前記第２の軸側にスライドさせることによって、前記第１の回転部材の前記開放端部を前記第２の軸と前記衣服ベルトとの間に移動させ、前記衣服ベルトの表面に前記第１の凸部と前記第１の回転部材の開放端部とを密着させた状態で、前記第２の回転部材の前記第２の凸部が前記第１の軸のスライドに伴う前記第１の回転部材の軸側端部の移動経路上に位置するまで前記第２の回転部材を回転させた状態で、前記第２の回転部材の回転に抵抗する力を作用させ、前記第１の回転部材の前記第２の軸側とは反対方向への移動を拘束することによって前記衣服ベルトを固定し、
前記第２の回転部材を前記逆側に回転させて、前記第１の回転部材の前記第２の軸側とは反対方向への移動の拘束を解除し、前記第１の軸を前記第２の軸とは反対側にスライドさせることによって、前記第１の回転部材の前記開放端部を前記第２の軸と前記衣服ベルトとの間から抜き出し、前記第１の凸部により前記２重になった前記衣服ベルトを前記開口部から押し出す方向とは逆方向に前記第１の回転部材を回転させることによって、前記衣服ベルトの固定を解除することを特徴とする衣服ベルト用バックル。
【請求項３】
前記第２の回転部材の前記第２の凸部を、前記第１の軸のスライドに伴う前記第１の回転部材の軸側端部に当接させながら、さらに押し込むように前記第２の回転部材を回転させることによって、前記第２の回転部材の逆側への回転に抵抗する力を作用させ、前記第１の回転部材の前記棒状部材側とは反対方向への移動を拘束することによって前記衣服ベルトを固定することを特徴とする請求項１又は２記載の衣服ベルト用バックル。
【請求項４】
前記棒状部材は強磁性体を有し、前記第２の回転部材には永久磁石が配置され、前記棒状部材の前記強磁性体と前記永久磁石との間での吸引力により前記第２の回転部材と前記本体とがくっ付くことで前記第２の回転部材の回転に抵抗する力を作用させることを特徴とする請求項１記載の衣服ベルト用バックル。
【請求項５】
前記第２の回転部材は強磁性体を有し、前記第棒状部材には永久磁石が配置され、前記第２の回転部材の前記強磁性体と前記永久磁石との間での吸引力により前記第２の回転部材と前記本体とがくっ付くことで前記第２の回転部材の回転に抵抗する力を作用させることを特徴とする請求項１記載の衣服ベルト用バックル。
【発明の詳細な説明】
【技術分野】
【０００１】
本発明は、衣服ベルト用のバックルに関する。装着時にベルトの長さを固定する位置を無段階に調節可能な衣服ベルト用のバックルに関する。
【背景技術】
【０００２】
従来、装着時にベルトの長さを固定する位置を無段階に調節可能な衣服ベルトのバックルについては、様々なものが市販されている。特に純粋に革だけで製造されたベルトを使う方式では、バックルに設けられた２か所のスリットにベルトを通して、ベルトが受ける張力によりベルトとバックルとの間に摩擦力を発生させて固定するタイプなどが挙げられる。しかし、ベルトが受ける張力によりベルトとバックルとの間に摩擦力を発生させてベルトを固定する構造では、バックルに張力以外の外力を受けた場合にベルトが緩みやすいといった問題があった。
【０００３】
かかる問題に対して出願人は、バックル内部で底板に端部を固定されたベルトの反対側となる先端部を、バックルより引き出された反対側よりバックル内に差込み、固定された端部の上に重ねるよう水平に通した後、一端側がバックル本体に支持された回転可能な留め具で、重ねられた２段のベルトを人体側に向かってバックル裏面から飛び出すように押圧し、押圧後に、かかる留め具をスライドさせて留め具の他端側をバックル本体に差し込み、かかる他端側のフック部分を差し込んだ先のバックル本体に引っ掛けることで留め具を固定するタイプのバックルについて以前に特許出願を行った（特許文献１参照）。かかるバックルにより、張力以外の外力によりベルトが緩む問題の解決を図った。
【０００４】
しかしながら、先に特許出願したタイプでは、留め具の他端側のフック部分をバックル本体に差し込む必要が有るため、フック部分の厚み分を考慮した隙間が、重ねられた２段のベルトとバックル本体との間に必要となる。そのため、留め具他端部に設けられたフック部を通すために留め具自体の厚さ以上の隙間をベルトとバックル本体の間に設ける必要が有り、留め具にベルトを密着させて摩擦力を効果的に発生させることができなかった。しかし、仮にフック部を無くした場合には、留め具が不本意にずれてベルトが緩む危険性が有った。
また、出願人が先にした特許出願において、回転する留め具を有するバックル全体の構造が、デザインに与える従来には無い異質な影響が強いため、ビジネス用の衣装や式典用の正装に似合わないといった問題が有った。
【先行技術文献】
【特許文献】
【０００５】
【特許文献１】特開２０１４−１２８５２９号公報
【発明の概要】
【発明が解決しようとする課題】
【０００６】
そこで、本発明は、出願人が先に特許出願したバックルよりも強い摩擦力でベルトを固定することが可能な上に、留め具が不本意にずれてベルトが緩むことの無いバックルを提供する。
【課題を解決するための手段】
【０００７】
本発明の一態様の衣服ベルト用バックルは、
開口部が形成された背面板部と、背面板部の対向する２辺に連結する第１と第２の側面板部と、背面板部の板面と隙間を空けて、開口部から離れた位置で第１と第２の側面板部の一方から他方側に延びる棒状部材とを有する本体と、
第１と第２の側面板部間に配置され、軸方向と直交する方向に向かってスライド可能に第１と第２の側面板部に支持される第１の軸と、
第１の軸を支点に回転可能に第１の軸に支持され、第１の凸部を有するように形成され、第１の凸部を背面板部の開口部に向けて回転させた状態で第１の軸を棒状部材側にスライドさせることによって、第１の軸に支持された側とは反対側の自己の開放端部が棒状部材と背面板部との間に配置可能な第１の回転部材と、
第１と第２の側面板部間に配置され、第１と第２の側面板部に支持される第２の軸と、
第２の軸を支点に回転可能に前記第２の軸に支持され、第２の凸部を有するように形成され、第２の凸部を背面板部の開口部に向けて押し込むように回転させた状態で、第１の回転部材の棒状部材側とは反対方向への移動を第２の凸部により阻害可能な第２の回転部材と、
を備え、
開口部を跨ぐようにして衣服ベルトの端部が棒状部材側の背面板部に固定され、２重に重なった状態で本体内を通過させるように配置し、
第１の回転部材の回転によって第１の凸部により２重になった衣服ベルトを開口部から押し出すように屈曲させた状態で、第１の軸を前記棒状部材側にスライドさせることによって、第１の回転部材の開放端部を棒状部材と衣服ベルトとの間に移動させ、衣服ベルトの表面に第１の凸部と第１の回転部材の開放端部とを密着させた状態で、第２の回転部材の第２の凸部が第１の軸のスライドに伴う第１の回転部材の軸側端部の移動経路上に位置するまで第２の回転部材を回転させた状態で、前記第２の回転部材の回転に抵抗する力を作用させ、第１の回転部材の棒状部材側とは反対方向への移動を拘束することによって衣服ベルトを固定し、
第２の回転部材を逆側に回転させて、第１の回転部材の棒状部材側とは反対方向への移動の拘束を解除し、第１の軸を棒状部材とは反対側にスライドさせることによって、第１の回転部材の開放端部を棒状部材と衣服ベルトとの間から抜き出し、第１の凸部により２重になった衣服ベルトを開口部から押し出す方向とは逆方向に第１の回転部材を回転させることによって、衣服ベルトの固定を解除することを特徴とする。
【０００８】
本発明の他の態様の衣服ベルト用バックルは、
開口部が形成された背面板部と、背面板部の対向する２辺に連結する第１と第２の側面板部と、を有する本体と、
第１と第２の側面板部間に配置され、軸方向と直交する方向に向かってスライド可能に第１と第２の側面板部に支持される第１の軸と、
第１と第２の側面板部間に配置され、背面板部の板面と隙間を空けて、開口部から離れた位置で第１と第２の側面板部に支持される第２の軸と、
第１の軸を支点に回転可能に第１の軸に支持され、第１の凸部を有するように形成され、第１の凸部を背面板部の開口部に向けて回転させた状態で第１の軸を第２の軸側にスライドさせることによって、第１の軸に支持された側とは反対側の自己の開放端部が第２の軸と背面板部との間に配置可能な第１の回転部材と、
第２の軸を支点に回転可能に第２の軸に支持され、第２の凸部を有するように形成され、第２の凸部を背面板部の開口部に向けて押し込むように回転させた状態で、第１の回転部材の第２の軸側とは反対方向への移動を第２の凸部により阻害可能な第２の回転部材と、
を備え、
開口部を跨ぐようにして衣服ベルトの端部が第２の軸側の背面板部に固定され、２重に重なった状態で本体内を通過させるように配置し、
第１の回転部材の回転によって第１の凸部により２重になった衣服ベルトを開口部から押し出すように屈曲させた状態で、第１の軸を第２の軸側にスライドさせることによって、第１の回転部材の開放端部を第２の軸と衣服ベルトとの間に移動させ、衣服ベルトの表面に第１の凸部と第１の回転部材の開放端部とを密着させた状態で、第２の回転部材の第２の凸部が第１の軸のスライドに伴う第１の回転部材の軸側端部の移動経路上に位置するまで第２の回転部材を回転させた状態で、前記第２の回転部材の回転に抵抗する力を作用させ、第１の回転部材の第２の軸側とは反対方向への移動を拘束することによって衣服ベルトを固定し、
第２の回転部材を逆側に回転させて、第１の回転部材の第２の軸側とは反対方向への移動の拘束を解除し、第１の軸を第２の軸とは反対側にスライドさせることによって、第１の回転部材の開放端部を第２の軸と衣服ベルトとの間から抜き出し、第１の凸部により２重になった衣服ベルトを開口部から押し出す方向とは逆方向に第１の回転部材を回転させることによって、衣服ベルトの固定を解除することを特徴とする。
【０００９】
また、第２の回転部材の第２の凸部を、第１の軸のスライドに伴う第１の回転部材の軸側端部に当接させながら、さらに押し込むように第２の回転部材を回転させることによって、前記第２の回転部材の逆側への回転に抵抗する力を作用させることで、第１の回転部材の前記棒状部材側とは反対方向への移動を拘束することによって衣服ベルトを固定すると好適である。
【００１０】
或いは、棒状部材は強磁性体を有し、第２の回転部材には永久磁石が配置され、棒状部材の強磁性体と永久磁石との間での吸引力により第２の回転部材と本体とがくっ付くことで前記第２の回転部材の回転に抵抗する力を作用させるように構成しても好適である。
【００１１】
或いは、第２の回転部材は強磁性体を有し、棒状部材には永久磁石が配置され、第２の回転部材の強磁性体と永久磁石との間での吸引力により第２の回転部材と本体とがくっ付くことで前記第２の回転部材の回転に抵抗する力を作用させるように構成しても好適である。
【発明の効果】
【００１２】
本発明の一態様によれば、摩擦力により無段階にベルトを固定できる上、バックルが受ける張力以外の外力によって不本意にベルトが緩むことを防止することができる。さらに、ベルトに広い面積で摩擦を発生させる事により、より強い摩擦力でベルトを固定することも可能となり、さらに留め具を固定具にて固定する事で、留め具に外力を受けて不本意にベルトが緩むことも防止できる。
【図面の簡単な説明】
【００１３】
【図１】実施の形態１における衣服ベルト用バックルの構成の一例を示す正面方向から見た斜視図である。
【図２】実施の形態１と比較例１とにおける衣服ベルト用バックルの底面方向から見た断面構成の一例を示す図である。
【図３】実施の形態２における衣服ベルト用バックルの底面方向から見た断面構成の一例を示す図である。
【図４】実施の形態３における衣服ベルト用バックルの底面方向から見た断面構成の一例を示す図である。
【図５】実施の形態４における衣服ベルト用バックルの底面方向から見た断面構成の一例を示す図である。
【発明を実施するための形態】
【００１４】
以下、実施の形態では、例えば、一般にベルトの自由端が左前側にくるユーザが胴にベルトを装着した状態でかかるユーザに向かって正面から見えるバックルの状態を正面図として説明する。同様に、例えばユーザが胴にベルトを装着した状態で底面側から見えるバックルの状態を底面図として説明する。同様に、正面図が示す状態を裏返した状態を背面図として説明する。
【００１５】
また、以下に説明するバックルを構成する各部品の材料は、金属材、或いはＦＲＰやエンジニアリングプラスチック材を用いると好適である。より望ましくは金属材が好適である。例えば、金属を用いる場合、鉄、ステンレス鋼、チタニウム、アルミニウム、銀、銅、ニッケル、クロム、亜鉛、錫、マグネシウム或いはこれらの合金等が好適である。また、以下、金属材を用いる場合を想定して説明するが、プラスチック材などを用いる場合、「溶接」は「接着」と読み替えてもよい。同様に、プラスチック材などを用いる場合、「折り曲げて製作」は「折り曲げた形状になるように製作」と読み替えればよい。
また軸は、軸が本体に固定された場合には回転部材が軸の周りを回り、軸が回転部材に固定された場合には軸が本体の中で回転するものとする。
【００１６】
実施の形態１．
図１は、実施の形態１における衣服ベルト用バックルの構成の一例を示す正面方向から見た斜視図である。また軸が本体に固定された場合には回転部材が軸の周りを回り、軸が回転部材に固定された場合には軸が本体の中で回転するものとする。
図２は、実施の形態１と比較例１とにおける衣服ベルト用バックルの底面方向から見た断面構成の一例を示す図である。図２（ａ）では実施の形態１における衣服ベルト用バックルの断面が示されている。図２（ｂ）では衣服ベルト用バックルの図２（ａ）に対応する留め具の他端側をバックル本体に差し込み、かかる他端側のフック部分を差し込んだ先のバックル本体に引っ掛けることで留め具を固定する比較例１の断面が示されている。
【００１７】
図１及び図２（ａ）において、衣服ベルト用バックル１００（以下、バックル１００という。）は、背面板部１０（１０ａ，１０ｂ）、側面板部１２ａ，１２ｂ、及び棒状部材１４を有するバックル本体１７と、軸２０（第１の軸）とベルト留め具３０、および軸２１（第２の軸）と留め具固定具４０とを備えている。背面板部１０には、背面板部１０ａ，１０ｂ間にスリット５０（開口部）が形成されている。スリット５０は、衣服ベルト６２（以下、ベルト６２という。）の幅よりも大きな幅で開口される。またスリット５０は、ベルト６２の長手方法に、例えば、２５〜４０ｍｍの長さで開口する。
【００１８】
側面板部１２ａ，１２ｂは、ベルト６２の幅方向の背面板部１０端に沿った、背面板部１０の対向する２辺に連結する。図１の例では、側面板部１２ａ（第１の側面板部）は、ベルト６２の幅方向の背面板部１０の上方端（図１では上面側）に連結する。側面板部１２ｂ（第２の側面板部）は、ベルト６２の幅方向の背面板部１０の下方端（図１では下面側）に連結する。側面板部１２ａ，１２ｂと背面板部１０は、同一板材を折り曲げて製作しても良いが、鋳造などにより製造することもできる。
或いは、それぞれ別体として製作し、溶接等で接続してもよい。側面板部１２ａ，１２ｂ間にはベルト６２を通すので、側面板部１２ａ，１２ｂ間の隙間がベルト６２の幅より若干大きいサイズになるように形成される。例えば、側面板部１２ａ，１２ｂ間の隙間がベルト６２の幅より約１ｍｍ大きいサイズになるように形成されると好適である。
【００１９】
また、側面板部１２ａ，１２ｂ間には、軸２０が配置される。軸２０は、軸方向と直交する方向に向かってスライド可能に側面板部１２ａ，１２ｂに支持される。そのため、側面板部１２ａ，１２ｂには、ベルト６２の長手方向にスリット１３ａ，１３ｂが形成される。スリット１３ａ，１３ｂの幅は、軸２０の直径よりも若干大きい程度に形成されると良い。例えば、軸２０の直径が２〜４ｍｍ程度が望ましい。そして、スリット１３ａ，１３ｂの幅は、かかる軸２０の直径に０．１ｍｍ程度加算したサイズにすると好適である。
【００２０】
側面板部１２ａ，１２ｂの一方の端部（図１の例では左端部）には、棒状部材１４が側面板部１２ａ，１２ｂの一方から他方側に延びるように配置される。棒状部材１４は、側面板部１２ａ，１２ｂ間を繋いでも良いし、側面板部１２ａから側面板部１２ｂに向けた途中まで突き出す形状でも良いし、逆に側面板部１２ｂから側面板部１２ａに向けた途中まで突き出す形状でも良いし、側面板部１２ａから側面板部１２ｂに向けた途中まで突き出すと共に側面板部１２ｂから側面板部１２ａに向けた途中まで突き出すといった複数の突起形状でも良い。図１及び図２（ａ）の例では、棒状部材１４は、側面板部１２ａから側面板部１２ｂに向けた途中まで突き出すと共に側面板部１２ｂから側面板部１２ａに向けた途中まで突き出すといった複数の突起形状が示されている。棒状部材１４は、背面板部１０の板面と隙間を空けて配置される。棒状部材１４は、側面板部１２ａ，１２ｂと溶接等で接続されても良いが、鋳造などにより一体で製造してもよい。棒状部材１４は、背面板部１０の板面と隙間を空けて、スリット５０から離れた位置で側面板部１２ａ，１２ｂの一方から他方側に延びる。
【００２１】
また、軸２０を支点に回転可能にベルト留め具３０（第１の回転部材）が軸２０に支持される。ベルト留め具３０は、側面板部１２ａ，１２ｂ間で軸２０に支持される。また、ベルト留め具３０は、ベルト留め具３０を棒状部材１４側に回転させる場合に、背面板部１０側（背面側）に凸となる凸部３４（第１の凸部）を有するように形成される。ベルト留め具３０は、凸部３４を背面板部１０のスリット５０に向けて回転させた状態で軸２０を棒状部材１４側にスライドさせることによって、軸２０に支持された側とは反対側の自己の開放端部３２が棒状部材１４と背面板部１０（１０ａ）との間に配置可能に構成される。
【００２２】
また、軸２１は、側面板部１２ａ，１２ｂ間に配置される。軸２１は、側面板部１２ａ，１２ｂに支持される。軸２１は、軸２０とは異なりスライドはしない。図２（ａ）の例では、軸２１は、スリット５０に対して棒状部材１４とは反対側の位置で側面板部１２ａ，１２ｂに支持される。軸２１の直径は、例えば、２〜４ｍｍ程度が望ましい。
【００２３】
また、軸２１を支点に回転可能に留め具固定具４０（第２の回転部材）が軸２１に支持される。留め具固定具４０は、側面板部１２ａ，１２ｂ間で軸２１に支持される。また、留め具固定具４０は正面棒状部材１４側に回転させる場合に、背面板部１０側（背面側）に凸となる凸部４２（第２の凸部）を有するように形成される。留め具固定具４０は、凸部４２を背面板部１０のスリット５０に向けて押し込むように回転させた状態で、ベルト留め具３０の棒状部材１４側とは反対方向への移動を凸部４２により阻害可能に構成される。
【００２４】
図１及び図２（ａ）に示すように、ベルト６２がバックル本体１７内を通るように、ベルト６２の一端６０ｂをスリット５０に対して棒状部材１４側の背面板部１０ａに組ネジ１１で固定し、ベルト６２の他端部６０ａを棒状部材１４と背面板部１０との間から差し込み、背面板部１０の上を抜けてバックル本体１７内を通過させることによりバックル本体１７内でベルト６２を２重（背面側ベルト部分６０ｂ，正面側ベルト部分６０ａ）に重なり合わせる。ただし組ネジ１１はリベットなど他の固定方法に替えても構わない。
【００２５】
かかる段階でベルトの長さをユーザの胴囲に合うように調整する。そして、ベルト６２が２重に重なった状態で、ベルト留め具３０を倒しスリット５０に向かって凸部３４を押し込んだ後、軸２０を側面板部１２（ここでは断面なので側面板部１２ａ）のスリット１３（ここでは断面なのでスリット１３ａを示す）内で一旦棒状部材１４側とは反対方向にスライドさせた後、開放端部３４を棒状部材１４より下に押し込み、凸部３４によりベルト６２の２重に重なった部分をスリット５０から外側に押し出したまま、次に棒状部材１４側に軸２０を側面板部１２（ここでは断面なので側面板部１２ａ）のスリット１３（ここでは断面なのでスリット１３ａを示す）内でスライドさせる。言い換えれば、ベルト留め具３０の回転によって凸部３４により２重になったベルト６２をスリット５０から押し出すように屈曲させた状態で、軸２０を棒状部材１４側にスライドさせることによって、ベルト留め具３０の開放端部３２を棒状部材１４とベルト６２との間に移動させる。さらに言い換えれば、ベルト留め具３０は、一対の側面板部１２ａ，１２ｂと垂直をなす軸２０回りに起倒可能に配置される。ベルト留め具３０は、倒した時に重ね合わせたベルト６２を背面板部１０ａと１０ｂとの間に形成されるスリット５０に向かって例えば３ｍｍ〜１０ｍｍ凸になるように凸部３４を構成し、棒状部材１４側に軸２０をスライドさせることによってベルト留め具３０の開放端部３２を棒状部材１４と背面板部１０ａとの間に移動させる。つまり、ベルト留め具３０の開放端部３２を棒状部材１４とベルト６０ａとの間に配置可能に移動させる。
【００２６】
次に、ベルト６２の表面にベルト留め具３０の凸部３４とベルト留め具３０の開放端部３２とを密着させた状態で、留め具固定具４０の凸部４２が軸２０のスライドに伴うベルト留め具３０の軸側端部の移動経路上に位置するまで留め具固定具４０を回転させた状態で、留め具固定具４０の回転に抵抗する力を作用させ、ベルト留め具３０の棒状部材１４側とは反対方向への移動を拘束することによってベルト６２を固定する。図１及び図２（ａ）の例では、留め具固定具４０の凸部４２を、軸２０のスライドに伴うベルト留め具３０の軸側端部に当接させながら、さらに押し込むように留め具固定具４０を回転させることによって、弾性変形で固定（係合）され、留め具固定具４０の逆側への回転に抵抗する力を作用させる。これにより、ベルト留め具３０の棒状部材１４側とは反対方向への移動を拘束することによってベルト６２を固定する。言い換えれば、軸２１に回転可能に支持された留め具固定具４０をベルト留め具の上に被せるように回転させて、留め具の脇に弾性体で形成されたベルト留め具固定具４０の凸部４２を差し込み凸部４２をベルト留め具の軸側端部に押し込み係合させる。
【００２７】
ここで、図１及び図２（ａ）の例では、留め具固定具４０は、軸２１とは反対側の端部とベルト６０ａとの間にユーザの指が入る程度の隙間を設けて、バックル本体１７を覆うように蓋をする。これにより、回転可能な留め具でベルトを固定する方式のバックルにおいても独特の外観を持つ留め具の上から蓋を被せる事で、ビジネス用の衣装や式典用の正装にも似合う外観とする事や逆に全く独創的な外観のデザインとする事もできる。図１及び図２（ａ）の例では、中央付近に窓部を設けたり、側面板部１２ａ，１２ｂの内側部分を大部分覆っているが、これに限るものではない。例えば側面板部１２ａ，１２ｂを含めて覆うように構成しても構わない。また、図１及び図２（ａ）の例では、スライドしない軸２１を支点に回転する留め具固定具４０で蓋をすることで、覆う位置を固定できる。
【００２８】
また、ベルト６２を外す際には、以下のように動作する。留め具固定具４０を逆側に回転させて、ベルト留め具３０の棒状部材１４側とは反対方向への移動の拘束を解除する。そして、軸２０を棒状部材１４とは反対側にスライドさせることによって、ベルト留め具３０の開放端部３２を棒状部材１４とベルト６２との間から抜き出し、凸部３４により２重になったベルト６２をスリット５０から押し出す方向とは逆方向にベルト留め具３０を回転させることによって、ベルト６２の固定を解除する。言い換えれば、この留め具固定具４０の凸部４２をベルト留め具３０から外す際には留め具固定具４０の軸２１とは反対側の端部とベルト６０ａとの間に指を差込み引き起こすように操作する。
【００２９】
一方、図２（ｂ）に示す比較例１では、以下のようにベルトを固定する。図２（ｂ）に示すように、ベルト３６２がバックル３００内を通るように、ベルト３６２の一端を背面板部３１０ａに組ネジ３１１で固定し、ベルト３６２の他端を正面棒状部材３１４と背面板部３１０ａとの間から差し込み、正面棒状部材３１６と背面板部３１０ｂとの間を抜けてバックル３００内を通過させることによりバックル３００内でベルト３６２を（背面側ベルト部分３６０ｂ、正面側ベルト部分３６０ａ）重なり合わせる。かかる段階でベルトの長さをユーザの胴囲に合うように調整する。そして、ベルト３６２が２重に重なった状態で、ベルト留め具３３０を正面棒状部材３１６側に一旦寄せた後に、凸部３３４によりベルト３６２の２重に重なった部分をスリット３５０から外側に押し出しながら、ベルト留め具３３０の開放端部３３２を正面棒状部材３１４よりも背面側に押し下げた後に、正面棒状部材３１４側に軸３２０をスライドさせる。正面棒状部材３１４側に軸３２０を側面板部３１２（ここでは断面なので側面板部３１２ａを示す）のスリット３１３（ここでは断面なのでスリット３１３ａを示す）内でスライドさせることによってベルト留め具３３０の開放端部３３２を正面棒状部材３１４と背面板部３１０との間を通して正面棒状部材３１４の端部まで移動させる。実際には、ベルト留め具３３０の開放端部３３２を正面棒状部材３１４とベルト３６０ａとの間に差し込む。その際、ベルト留め具３３０の開放端部３３２に形成された上向き（正面側向き）に爪が延びるフック３３６が正面棒状部材３１４と背面板部３１０ａとの間を貫通するまで軸３２０をスライドさせる。フック３３６が正面棒状部材３１４に引っ掛かることで、軸３２０が正面棒状部材３１６側へとスライドできないように軸３２０を拘束する。これにより、ベルト留め具３３０が正面棒状部材３１６側へとスライドできないように拘束されることになる。これにより、ベルト留め具３３０の開放端部３３２が正面棒状部材３１４とベルト３６０ａとの間から抜けることを防止できる。ベルト留め具３３０の開放端部３３２が正面棒状部材３１４とベルト３６０ａとの間から抜けなければ、凸部３３４によって、ベルト３６２の２重に重なった部分をスリット３５０から外側に押し出した状態が維持されるので、押圧により発生する摩擦力でベルト３６２を固定できる。以上のようにして、比較例におけるバックル３００では、ベルト３６２が固定される。
【００３０】
比較例１では、フック３３６を正面棒状部材３１４とベルト３６０ａとの間を通過させる必要があるので、正面棒状部材３１４とベルト３６０ａとの間の隙間ｈ２をベルト留め具３３０の開放端部３３２の厚さにフック３３６の張り出し高さを加算した分まで広げる必要がある。これに対して、実施の形態１では、留め具固定具４０によりベルト留め具３０が拘束されるため、比較例１に示したフック３３６が不要である。よって、実施の形態１では、正面棒状部材１４とベルト６０ａとの間の隙間ｈ１をベルト留め具３０の開放端部３２の厚さがスムーズに差込める程度に確保されれば良い。すなわち、実施の形態１の隙間ｈ１では、比較例１の隙間ｈ２よりも小さくできる。その結果、実施の形態１では、バックル１００の厚さＨ１を比較例１のバックル３００の厚さＨ２よりも薄くでき、更により広い面積でベルト留め具３０を密着させることで発生する摩擦力により強力にベルトを固定できる。
【００３１】
また、比較例１では、正面棒状部材の強度等を考慮するとフック３３６が正面棒状部材３１４とベルト３６０ａとの間を抜けるまで軸３２０を、例えば５ｍｍ以上スライドさせる必要があるので、側面板部３１２（ここでは断面なので側面板部３１２ａを示す）のスリット３１３（ここでは断面なのでスリット３１３ａを示す）の開口長さがフック３３６の分以上に多く必要となる。これに対して、実施の形態１では、正面棒状部材１４とベルト６０ａとの間にベルト留め具３０の開放端部３２を例えば３ｍｍ以上差し込めばよく、正面棒状部材１４とベルト６０ａとの間を抜けるまで例えば５ｍｍ以上移動させる必要はない。よって、側面板部１２（ここでは断面なので側面板部１２ａを示す）のスリット１３（ここでは断面なのでスリット１３ａを示す）のスライド方向の開口長さを比較例１よりも例えば２ｍｍ短くできる。例えば、ベルト留め具３０の開放端部３２を３ｍｍくらいでも差し込む分の長さが正面棒状部材１４とベルト６０ａとの間に開口されていればよい。これによりスリット１３の長手方向のサイズを小さくできるので、正面棒状部材１４，１６の端部間の距離によって定まるバックル本体の長さもまた小さくなる。
【００３２】
以上のように実施の形態１によれば、より強力にベルトを固定することが可能な上に、ベルト留め具に外力を受けて不本意にベルトが緩むことがないバックルを提供する。
【００３３】
以上のように、実施の形態１におけるバックル１００は、胴に巻付けて使用する例えば洋装用のベルトのバックルであり、締結位置を無段階に調節するため摩擦力を利用している。特に、使用時にベルト６２の受ける張力（設計最大荷重）により、ベルト６２の先端部がバックル１００より引き抜かれないために、ベルト６２の先端部と基端部を重ね合わせたうえで、倒し込んだベルト留め具３０の凸部３４によりスリット状の空隙（スリット５０）の中に押し込み、あえて人体側に向かって凸となるよう屈曲させることにより使用時に発生する摩擦力が効果的にベルト６２を固定するように設計している。かかるベルト留め具３０の凸部３４の高さは、低すぎるとベルト６２があまり屈曲せず十分な摩擦力を発生させられないが、高すぎると操作が困難になる。そのため、ベルト留め具３０の開放端部３２の面（背面側の面）から３ｍｍ〜１５ｍｍの範囲とすると好適であり、さらに好ましくは３ｍｍ〜１０ｍｍの範囲にすると良い。また、ベルト６２を屈曲させる場合には、厚いベルト、剛性が高いベルトの場合にはあまり下（背面側）まで押し込む必要が無く、逆に、薄いベルト、剛性が低いベルトの場合には下（背面側）まで押し込む必要がある。よって、より望ましくは、ベルト留め具３０の凸部３４の高さは、上述した範囲で、使用するベルトの厚さや剛性に応じて設計すると良い。ベルト留め具３０の凸部３４の高さをかかる範囲に設定すると、ベルト６２を二重にした上で曲げて同時に張力の方向も曲げることで、背面板部１０aの端部を面取りして形成された主に摩擦力を発生させる面側に向かって張力によりベルト６０ｂにベルト６０ａが押し付けられる。その結果、ベルト６０bとベルト６０aの間に摩擦力が発生することで張力と比例して増加する摩擦力により効果的にベルトが滑り出すことを止めることができる。
【００３４】
また、実施の形態１では、あえて人体側に向かって凸となるようにベルトを屈曲させて、バックル１００が人体から引き離される方向の外力を受けた時にも、摩擦面がベルト６２の受ける張力の方向と平行にならずベルト６２の先端部が滑り出さない。つまり、このような人体から引き離される方向の外力を受けた時に、外力によりベルト６２が形成させられる２次曲線形状とは逆向きの２次曲線の形状を、バックル１００によってベルトに強制できる。そのために、実施の形態１では、あえてバックル１００により人体に向かって凸となるようにベルト６２を屈曲させている。さらに、このように人体に向かって屈曲させることにより、張力に比例して摩擦力も強化させることができるので、より強力にベルトを固定できる。
【００３５】
以上のようにして、実施の形態１におけるバックル１００では、ベルト留め具固定具４０によりベルト留め具３０の移動を阻止しベルト留め具３０の外れを防止できるので、比較例１に示したバックルよりもベルトに広い面積で摩擦を発生させる事で、より強い摩擦力でベルトを固定することも可能となり、さらにベルト留め具を留め具固定具により不本意に外れないように固定するため、より確実にベルトを固定できる。
【００３６】
実施の形態２．
実施の形態１では、留め具固定具４０の凸部４２を、軸２０のスライドに伴うベルト留め具３０の軸側端部に当接させながら、さらに押し込むように留め具固定具４０を回転させることによって、留め具固定具４０の逆側への回転に抵抗する力を作用させる構成について説明した。しかし、留め具固定具４０の逆側への回転に抵抗する力を作用させる構成はこれに限るものではない。
【００３７】
図３は、実施の形態２における衣服ベルト用バックルの底面方向から見た断面構成の一例を示す図である。実施の形態１における衣服ベルト用バックルの構成の一例を示す正面方向から見た斜視図は、棒状部材１４を除いて図１とほぼ同様である。図３（ａ）では、留め具固定具４０側に永久磁石を配置する場合を示す。図３（ｂ）では、棒状部材１４側に永久磁石を配置する場合を示す。図３（ａ）に示すように、棒状部材１４の全部或いは一部を強磁性体の材料とする。そして、留め具固定具４０の蓋部分の先端部、具体的には、棒状部材１４と当接する部分に永久磁石を配置する。そして、棒状部材１４の強磁性体と留め具固定具４０の蓋部分の永久磁石との間での吸引力により、留め具固定具４０とバックル本体１７（棒状部材１４）とがくっ付くことで留め具固定具４０の回転に抵抗する力を作用させる。よって、図３（ａ）の例では、図２（ａ）に示したように、留め具固定具４０の凸部４２を、ベルト留め具３０の軸側端部に当接させなくても良い。なお、当接させても構わない。その他の構成は、実施の形態１と同様である。
【００３８】
或いは、図３（ｂ）に示すように、留め具固定具４０の蓋部分の先端部或いは全部を強磁性体の材料とする。そして、棒状部材１４上に永久磁石を配置する。そして、棒状部材１４の強磁性体と留め具固定具４０の蓋部分の永久磁石との間での吸引力により、留め具固定具４０とバックル本体１７（棒状部材１４）とがくっ付くことで留め具固定具４０の回転に抵抗する力を作用させる。よって、図３（ａ）の例では、図２（ａ）に示したように、留め具固定具４０の凸部４２を、ベルト留め具３０の軸側端部に当接させなくても良い。なお、当接させても構わない。その他の構成は、実施の形態１と同様である。
【００３９】
実施の形態３．
図４は、実施の形態３における衣服ベルト用バックルの底面方向から見た断面構成の一例を示す図である。実施の形態１における衣服ベルト用バックルの構成の一例を示す正面方向から見た斜視図は、軸２１の位置を除いて図１とほぼ同様である。図４の例では、軸２１を棒状部材１４として兼用する。
【００４０】
図１及び図４において、衣服ベルト用バックル１００（以下、バックル１００という。）は、背面板部１０（１０ａ，１０ｂ）、及び側面板部１２ａ，１２ｂを有するバックル本体１７と、軸２０（第１の軸）とベルト留め具３０、および軸２１（第２の軸）と留め具固定具４０とを備えている。背面板部１０には、背面板部１０ａ，１０ｂ間にスリット５０（開口部）が形成されている。スリット５０は、衣服ベルト６２（以下、ベルト６２という。）の幅よりも大きな幅で開口される。
【００４１】
側面板部１２ａ，１２ｂは、ベルト６２の幅方向の背面板部１０端に沿った、背面板部１０の対向する２辺に連結する。また、側面板部１２ａ，１２ｂ間には、軸２０が配置される。軸２０は、軸方向と直交する方向に向かってスライド可能に側面板部１２ａ，１２ｂに支持される。
【００４２】
実施の形態３では、軸２１が、側面板部１２ａ，１２ｂ間に配置され、背面板部１０の板面と隙間を空けて、スリット５０から離れた位置で側面板部１２ａ，１２ｂに支持される。軸２１は、スリット５０とオーバーラップしない位置で支持される。ここでは、例えば、軸２１は回転可能に支持される。なお、軸２１は、軸２０と異なりスライドしない。
【００４３】
また、軸２０を支点に回転可能にベルト留め具３０（第１の回転部材）が軸２０に支持される。ベルト留め具３０は、側面板部１２ａ，１２ｂ間で軸２０に支持される。また、ベルト留め具３０は、ベルト留め具３０を軸２１側に回転させる場合に、背面板部１０側（背面側）に凸となる凸部３４（第１の凸部）を有するように形成される。ベルト留め具３０は、凸部３４を背面板部１０のスリット５０に向けて回転させた状態で軸２０を軸２１側にスライドさせることによって、軸２０に支持された側とは反対側の自己の開放端部３２が軸２１と背面板部１０（１０ａ）との間に配置可能に構成される。
【００４４】
また、軸２１を支点に回転可能に留め具固定具４０（第２の回転部材）が軸２１に支持される。図４の例では、図２（ａ）と、留め具固定具４０の回転軸の位置が逆になる。留め具固定具４０は、側面板部１２ａ，１２ｂ間で軸２１に支持される。また、留め具固定具４０は正面軸２０側に回転させる場合に、背面板部１０側（背面側）に凸となる凸部４２（第２の凸部）を有するように形成される。留め具固定具４０は、凸部４２を背面板部１０のスリット５０に向けて押し込むように回転させた状態で、ベルト留め具３０の軸２１側とは反対方向への移動を凸部４２により阻害可能に構成される。
【００４５】
図１及び図４に示すように、ベルト６２がバックル本体１７内を通るように、ベルト６２の一端６０ｂをスリット５０に対して軸２１側の背面板部１０ａに組ネジ１１で固定し、ベルト６２の他端部６０ａを軸２１と背面板部１０との間から差し込み、背面板部１０の上を抜けてバックル本体１７内を通過させることによりバックル本体１７内でベルト６２を２重（背面側ベルト部分６０ｂ，正面側ベルト部分６０ａ）に重なり合わせる。ただし組ネジ１１はリベットなど他の固定方法に替えても構わない。
【００４６】
かかる段階でベルトの長さをユーザの胴囲に合うように調整する。そして、ベルト６２が２重に重なった状態で、ベルト留め具３０を倒しスリット５０に向かって凸部３４を押し込んだ後、軸２０を側面板部１２（ここでは断面なので側面板部１２ａ）のスリット１３（ここでは断面なのでスリット１３ａを示す）内で一旦軸２１側とは反対方向にスライドさせた後、さらに開放端部３４を軸２１より下に押し込み、凸部３４によりベルト６２の２重に重なった部分をスリット５０から外側に押し出したまま、次に軸２１側に軸２０を側面板部１２（ここでは断面なので側面板部１２ａ）のスリット１３（ここでは断面なのでスリット１３ａを示す）内でスライドさせる。言い換えれば、ベルト留め具３０の回転によって凸部３４により２重になったベルト６２をスリット５０から押し出すように屈曲させた状態で、軸２０を軸２１側にスライドさせることによって、ベルト留め具３０の開放端部３２を軸２１とベルト６２との間に移動させる。さらに言い換えれば、ベルト留め具３０は、一対の側面板部１２ａ，１２ｂと垂直をなす軸２０回りに起倒可能に配置される。ベルト留め具３０は、倒した時に重ね合わせたベルト６２を背面板部１０ａと１０ｂとの間に形成されるスリット５０に向かって例えば３ｍｍ〜１０ｍｍ凸になるように凸部３４を構成し、軸２１側に軸２０をスライドさせることによってベルト留め具３０の開放端部３２を軸２１と背面板部１０ａとの間に移動させる。つまり、ベルト留め具３０の開放端部３２を軸２１とベルト６０ａとの間に配置可能に移動させる。
【００４７】
次に、ベルト６２の表面にベルト留め具３０の凸部３４とベルト留め具３０の開放端部３２とを密着させた状態で、留め具固定具４０の凸部４２が軸２０のスライドに伴うベルト留め具３０の軸側端部の移動経路上に位置するまで留め具固定具４０を回転させた状態で、留め具固定具４０の回転に抵抗する力を作用させ、ベルト留め具３０の軸２１側とは反対方向への移動を拘束することによってベルト６２を固定する。図１及び図４の例では、留め具固定具４０の凸部４２を、軸２０のスライドに伴うベルト留め具３０の軸側端部に当接させながら、さらに押し込むように留め具固定具４０を回転させることによって、留め具固定具４０の逆側への回転に抵抗する力を作用させる。これにより、ベルト留め具３０の軸２１側とは反対方向への移動を拘束することによってベルト６２を固定する。言い換えれば、軸２１に回転可能に支持された留め具固定具４０をベルト留め具の上に被せるように回転させて、留め具の脇に弾性体で形成されたベルト留め具固定具４０の凸部４２を差し込み凸部４２をベルト留め具の軸側端部に係合させる。
【００４８】
図４の例においても、留め具固定具４０は、軸２１とは反対側の端部とベルト６０ａとの間にユーザの指が入る程度の隙間を設けて、バックル本体１７を覆うように蓋をする。これにより、回転可能な留め具でベルトを固定する方式のバックルにおいても独特の外観を持つ留め具の上から蓋を被せる事で、ビジネス用の衣装や式典用の正装にも似合う外観とする事や逆に全く独創的な外観のデザインとする事もできる。
【００４９】
また、ベルト６２を外す際には、以下のように動作する。留め具固定具４０を逆側に回転させて、ベルト留め具３０の軸２１側とは反対方向への移動の拘束を解除する。そして、軸２０を軸２１とは反対側にスライドさせることによって、ベルト留め具３０の開放端部３２を軸２１とベルト６２との間から抜き出し、凸部３４により２重になったベルト６２をスリット５０から押し出す方向とは逆方向にベルト留め具３０を回転させることによって、ベルト６２の固定を解除する。言い換えれば、この留め具固定具４０の凸部４２をベルト留め具３０から外す際には留め具固定具４０の背面側の開口部から指を差込み引き起こすように操作する。かかる場合、実施の形態３では、図２（ａ）の例とは、留め具固定具４０の回転軸の位置が反対になる。
【００５０】
実施の形態４．
図５は、実施の形態４における衣服ベルト用バックルの底面方向から見た断面構成の一例を示す図である。実施の形態１における衣服ベルト用バックルの構成の一例を示す正面方向から見た斜視図は軸２１の位置を除いて図１とほぼ同様である。図５の例では、軸２１の位置が棒状部材１４よりも外側になる場合を示している。よって、図５の例では、図２（ａ）と、留め具固定具４０の回転軸の位置が逆になる。その他の構成は、実施の形態１と同様である。
【００５１】
以上、具体例を参照しつつ実施の形態について説明した。しかし、本発明は、これらの具体例に限定されるものではない。
【００５２】
その他、本発明の要素を具備し、当業者が適宜設計変更しうる全ての衣服ベルト用バックルは、本発明の範囲に包含される。
【符号の説明】
【００５３】
１０  背面板部
１１  組ネジ
１２  側面板部
１３  スリット
１４  棒状部材
１７  バックル本体
２０，２１  軸
３０  ベルト留め具
３２  開放端部
３４  凸部
４０  留め具固定具
４２  凸部
５０  スリット
６０  ベルト部分
６２  ベルト
１００  バックル
３００  バックル
３１０  背面板部
３１１  組ネジ
３１２  側面板部
３１３  スリット
３１４，３１６  正面棒状部材
３２０  軸
３３０  ベルト留め具
３３２  開放端部
３３４  凸部
３３６  フック
３５０  スリット
３６０  ベルト部分
３６２  ベルト
【図１】
2019201994.tif 000003
【図２】
2019201994.tif 000004
【図３】
2019201994.tif 000005
【図４】
2019201994.tif 000006
【図５】
2019201994.tif 000007